(57)【要約】【課題】電照板の交換作業を容易なものとすること。【解決手段】上下方向に複数段設けられ、自身の延在方向に沿って複数の商品見本ＳＭを保持するディスプレイ台３１と、各ディスプレイ台３１の商品見本ＳＭのそれぞれに対応して設けられ、かつ商品を選択するための商品選択ボタン３２と、透光性材料から形成され、かつ商品見本ＳＭを視認させるための電照板４０とを備えた自動販売機の商品見本展示装置２０において、電照板４０は、ディスプレイ台３１毎に複数設けられている。また電照板４０の上端部及び下端部の少なくとも一方が商品選択ボタン３２を取付支持する選択ボタン取付金３４に保持されていることが好ましい。【選択図】図３
2020187585.tif 000002
【特許請求の範囲】
【請求項１】
上下方向に複数段設けられ、自身の延在方向に沿って複数の商品見本を保持するディスプレイ台と、
各ディスプレイ台の商品見本のそれぞれに対応して設けられ、かつ商品を選択するための商品選択ボタンと、
透光性材料から形成され、かつ前記商品見本を視認させるための電照板と
を備えた自動販売機の商品見本展示装置において、
前記電照板は、前記ディスプレイ台毎に複数設けられたことを特徴とする自動販売機の商品見本展示装置。
【請求項２】
前記電照板は、上端部及び下端部の少なくとも一方が前記商品選択ボタンを取付支持する選択ボタン取付金に保持されたことを特徴とする請求項１に記載の自動販売機の商品見本展示装置。
【請求項３】
前記選択ボタン取付金は、防水用クッション材を介して前記電照板を保持することを特徴とする請求項２に記載の自動販売機の商品見本展示装置。
【発明の詳細な説明】
【技術分野】
【０００１】
本発明は、自動販売機に商品見本を展示するための装置に関するものである。
【背景技術】
【０００２】
瓶、缶、ペットボトル等の容器に入れられた飲料等の商品を販売する自動販売機では、機器筐体の前面にディスプレイ室が設けられている。ディスプレイ室は、前面が開口した矩形状に形成されており、ディスプレイ台及び商品選択ボタンを備えている。
【０００３】
ディスプレイ台は、左右方向に延在する長尺状の台であり、上下方向に複数段設けられている。これらディスプレイ台は、それぞれ複数の商品見本を起立姿勢の状態で自身の延在方向に沿って並ぶよう保持するものである。商品選択ボタンは、各ディスプレイ台の商品見本のそれぞれに対応して設けられており、商品を選択するためのものである。これら商品選択ボタンは、ディスプレイ台毎に、選択ボタン取付金により押圧操作可能に取付支持されている。
【０００４】
そのようなディスプレイ室の前面開口は、電照板により覆われている。電照板は、透光性材料から形成された板状体であり、ディスプレイ室の前面開口の全域を覆うものである。このような電照板は、各商品選択ボタンの構成要素が貫通する貫通孔が加工されており、選択ボタン取付金に保持されつつ、機器筐体にも保持されている。かかる電照板は、商品見本を視認させるためのものである（例えば、特許文献１参照）。
【先行技術文献】
【特許文献】
【０００５】
【特許文献１】特開２０１７−７３０２５号公報
【発明の概要】
【発明が解決しようとする課題】
【０００６】
ところで、上記自動販売機においては、電照板によりディスプレイ室の前面開口全域を覆われるようにし、該電照板に商品選択ボタンの構成要素が貫通する貫通孔が加工されているので、該電照板の一部に傷等による損傷が生じることにより電照板を交換する場合、上記構成要素等の多数の部品を取り外す必要があり、交換作業が煩雑なものとなる虞れがあった。
【０００７】
本発明は、上記実情に鑑みて、電照板の交換作業を容易なものとすることができる自動販売機の商品見本展示装置を提供することを目的とする。
【課題を解決するための手段】
【０００８】
上記の目的を達成するため、本発明に係る自動販売機の商品見本展示装置は、上下方向に複数段設けられ、自身の延在方向に沿って複数の商品見本を保持するディスプレイ台と、各ディスプレイ台の商品見本のそれぞれに対応して設けられ、かつ商品を選択するための商品選択ボタンと、透光性材料から形成され、かつ前記商品見本を視認させるための電照板とを備えた自動販売機の商品見本展示装置において、前記電照板は、前記ディスプレイ台毎に複数設けられたことを特徴とする。
【０００９】
また本発明は、上記自動販売機の商品見本展示装置において、前記電照板は、上端部及び下端部の少なくとも一方が前記商品選択ボタンを取付支持する選択ボタン取付金に保持されたことを特徴とする。
【００１０】
また本発明は、上記自動販売機の商品見本展示装置において、前記選択ボタン取付金は、防水用クッション材を介して前記電照板を保持することを特徴とする。
【発明の効果】
【００１１】
本発明によれば、電照板が、ディスプレイ台毎に複数設けられているので、いずれかの電照板に傷等による損傷が生じた場合、該当する電照板だけを取り外して新たな電照板に交換することができる。その際、電照板には商品選択ボタンの構成要素が貫通等していないので、構成要素等の部品を取り外す必要もない。よって、電照板の交換作業を容易なものとすることができるという効果を奏する。
【図面の簡単な説明】
【００１２】
【図１】図１は、本発明の実施の形態である商品見本展示装置が適用された自動販売機を示す斜視図である。
【図２】図２は、図１に示した商品見本展示装置の縦断面図である。
【図３】図３は、図２に示した商品見本展示装置の要部を拡大して示す縦断面図である。
【発明を実施するための形態】
【００１３】
以下に添付図面を参照して、本発明に係る自動販売機の商品見本展示装置の好適な実施の形態について詳細に説明する。
【００１４】
図１は、本発明の実施の形態である商品見本展示装置が適用された自動販売機を示す斜視図である。ここで例示する自動販売機は、瓶、缶、ペットボトル等の容器に入った飲料を商品として販売するもので、商品を収納する機器筐体１の前面に前面扉２を備えている。
【００１５】
前面扉２は、一方の側縁部を介して機器筐体１に支持させたもので、機器筐体１の前面開口（図示せず）を開閉することが可能である。この前面扉２には、硬貨を投入するための硬貨投入口１１、紙幣を挿入するための紙幣挿入口１２、投入された硬貨や挿入された紙幣の金額、釣銭の金額等々、商品を販売する上で必要となる各種情報を表示するための表示器１３、投入された硬貨及び挿入された紙幣を返却するための返却レバー１４、硬貨を返却するための硬貨返却口１５、商品を取り出すための商品取出口１６等、商品を販売する際に必要となる構成が設けてある。
【００１６】
また前面扉２の上部には、商品見本展示装置２０が設けてある。商品見本展示装置２０は、ディスプレイ室３０と電照板４０とを備えている。
【００１７】
ディスプレイ室３０は、前面が開口した矩形状に構成してあり、ディスプレイ台３１及び商品選択ボタン３２を備えて構成してある。
【００１８】
ディスプレイ台３１は、図２にも示すように、背面板３３の前面に上下方向に沿って略等間隔となる態様で、複数段（図示の例では３段）設けてある。これらディスプレイ台３１は、左右方向が長手方向となる長尺状部材であり、自身の長手方向に沿って複数の商品見本ＳＭを起立姿勢の状態で並ぶよう保持している。
【００１９】
ここで商品見本ＳＭは、販売商品と同等の外形形状を有した樹脂製のものを前後に２分割した場合の前半部分のみから成り、後面が開口したものである。
【００２０】
商品選択ボタン３２は、各ディスプレイ台３１の商品見本ＳＭのそれぞれに対応して設けてある。これら商品選択ボタン３２は、選択ボタン取付金３４により対応するディスプレイ台３１に連結する態様で取付支持してある。かかる商品選択ボタン３２は、押圧操作されることにより内蔵するスイッチ（図示せず）がオン状態となり、選択信号を図示せぬ自販機制御部に与えることで、商品を選択させるものである。
【００２１】
電照板４０は、例えばアクリル樹脂等の透光性材料から形成された板状体であり、ディスプレイ台３１毎に複数（本実施の形態では３つ）設けてある。これら電照板４０は、商品選択ボタン３２とともにディスプレイ室３０の前面開口を覆うものであり、それぞれが対応するディスプレイ台３１に保持された商品見本ＳＭを視認させるものである。
【００２２】
これら電照板４０のうち、最も上方に配置された電照板４０（以下、上方電照板４１ともいう）は、図３に示すように、下端部が選択ボタン取付金３４を構成する前方側取付金３４１と後方側取付金３４２とに防水用クッション材３５を弾性変形させた状態で介して保持してある。この上方電照板４１の上端部は、前面扉２の上端枠２ａに保持されており、左右両端部は、各選択ボタン取付金３４の左右両端部を支持する支持部材３に保持されている。
【００２３】
上記電照板４０のうち、中央に配置された電照板４０（以下、中央電照板４２ともいう）と、最も下方に配置された電照板４０（以下、下方電照板４３ともいう）とは、図３に示すように、上端部及び下端部が選択ボタン取付金３４を構成する前方側取付金３４１と後方側取付金３４２とに防水用クッション材３５を弾性変形させた状態で介して保持してある。これら中央電照板４２及び下方電照板４３の左右両端部は、支持部材３に保持されている。
【００２４】
以上のような構成を有する自動販売機の商品見本展示装置２０においては、電照板４０がディスプレイ台３１毎に複数設けられており、上端部及び下端部の少なくとも一方が商品選択ボタン３２を取付支持する選択ボタン取付金３４に保持されているので、いずれかの電照板４０に傷等による損傷が生じた場合、該当する電照板４０だけを取り外して新たな電照板４０に交換することができる。その際、電照板４０には商品選択ボタン３２の構成要素が貫通等していないので、構成要素等の部品を取り外す必要もない。よって、電照板４０の交換作業を容易なものとすることができる。
【００２５】
上記商品見本展示装置２０によれば、選択ボタン取付金３４は、防水用クッション材３５を介して電照板４０を保持するので、水密性を確保することができる。
【００２６】
しかも、上記商品見本展示装置２０によれば、電照板４０をディスプレイ台３１毎に設けることで、電照板４０の小型化を図りつつ製造コストを低減させることができ、これにより、電照板４０の保管領域の省スペース化を図りつつ、電照板４０を安価に構成することができる。
【００２７】
以上、本発明の好適な実施の形態について説明したが、本発明はこれに限定されるものではなく、種々の変更を行うことができる。
【００２８】
上述した実施の形態では、防水用クッション材３５を介して電照板４０を保持することにより、水密性を確保していたが、本発明においては、水密性を確保することができれば、その他の手法により電照板を保持しても良い。
【００２９】
上述した実施の形態では、電照板４０（４１，４２，４３）の上端部及び下端部の少なくとも一方が選択ボタン取付金３４（３４１，３４２）に保持されていたが、本発明においては、電照板がディスプレイ台毎に複数設けられていれば、その保持する構造については特に限定されるものではない。
【符号の説明】
【００３０】
１…機器筐体、２…前面扉、２ａ…上端枠、３…支持部材、２０…商品見本展示装置、３０…ディスプレイ室、３１…ディスプレイ台、３２…商品選択ボタン、３３…背面板、３４…選択ボタン取付金、３４１…前方側取付金、３４２…後方側取付金、３５…防水用クッション材、４０…電照板、ＳＭ…商品見本。
【図１】
2020187585.tif 000003
【図２】
2020187585.tif 000004
【図３】
2020187585.tif 000005